(57)【要約】      （修正有）【課題】回転推力の変動や風力などの外力を受けた場合においても回転ア−ムを常にバランスよく保持せしめ、吊設する広告用吊設物等をスム−ズに回転作動せしめることが出来る、シ−ソ−式広告器などの支持構造を提供する。【解決手段】所要の長さを備えた回転ア−ム１５の重心個所に取付け自在とされたピポット軸受１と、ピポット軸受１に金属製ボ−ル１３を介して遊動自在に軸承された支柱１２とよりなり、ピポット軸受１内には一点支持的に金属製ボ−ル１３を磁着せしめて回転ア−ム１５のバランスを保持せしめるべくマグネット９が内設されている。そして、ピポット軸受１の下端部には金属製ボ−ル１３の抜出を防止せしめるべく内周面を球面状に形成せしめた掛止部５が一体形成されると共に、掛止部５には支柱１２を揺動自在に挿通せしめるべくスリット７が形成されている。【選択図】図３
2006145893.tif 000002
【特許請求の範囲】
【請求項１】
所要の長さを備えた回転ア−ムの重心個所に取付け自在とされたピポット軸受と、該ピポット軸受に金属製ボ−ルを介して遊動自在に軸承された支柱とよりなり、上記ピポット軸受内には一点支持的に金属製ボ−ルを磁着せしめて回転ア−ムのバランスを保持せしめるべくマグネットが内設されてなることを特徴とする、シ−ソ−式広告器などの支持構造
。
【請求項２】
ピポット軸受の下端部には金属製ボ−ルの抜出を防止せしめるべく内周面を球面状に形成せしめた掛止部が一体形成されると共に、該掛止部には支柱を揺動自在に挿通せしめるべくスリットが形成されてなることを特徴とする、請求項１記載のシ−ソ−式広告器などの支持構造。
【発明の詳細な説明】
【技術分野】
【０００１】
本発明は、シ−ソ−式広告器やシ−ソ−式遊具などをバランスよく回転支持せしめることが出来る支持構造に関する。
【背景技術】
【０００２】
従来より、シ−ソ−式広告器などの支持構造としては、実用新案登録第３０９３９２２号公報記載のものが知られており、これを図７及び図８に基づいて説明する。
【０００３】
即ち、同図中、５１は所要の長さを備えた両側一対の湾曲状回転ア−ム、５２は該両側回転ア−ム５１の重心個所に下向き状に設けられた球面状の受部５３を有するピポット軸受、５４は回転ア−ム５１をシ−ソ−状に支持せしめるべく該ピポット軸受５２に遊動自在に軸承されたスタンド５５付き支柱で、該支柱５４の先部は受部５３の内周面に面接触せしめるべく半球面状に形成されている。その他、５６は回転ア−ム５１の一端に吊設された広告用模型飛行機で、該模型飛行機５６は内蔵するモ−タ（図示略）によりプロペラ５７でもって飛行自在とされている。５８は回転ア−ム５１の他端に吊設された広告用模型気球で、該模型気球５８は上記模型飛行機５６とほぼ同一の重量を有するものとされている。
【０００４】
そして、上述の如く構成された従来例は、ピポット軸受５２を介して支柱５４に回転ア−ム５１をシ−ソ−状に支持せしめつつ、内蔵するモ−タ（図示略）によりプロペラ５７を回転作動せしめて推力を発生せしめ、支柱５４の回りに模型飛行機５６と模型気球５８を回転作動せしめるものである。
【特許文献１】実用新案登録第３０９３９２２号公報
【発明の開示】
【発明が解決しようとする課題】
【０００５】
ところで、上述の如く構成された従来例は、正常状態下においては支柱５４に回転ア−ム５１をバランスよくシ−ソ−状に支持せしめつつ、模型飛行機５６及び模型気球５８を支柱５４の回りにスム−ズに回転作動せしめることが出来るものである。しかしながら、回転ア−ム５１は球面状の受部５３を有するピポット軸受５２に支柱５４を面接触状に軸承せしめているにすぎないものであるから、プロペラ５７の推力変動や風圧などの外力を受けた場合には非常にバランスを崩しやすいものであって、スム−ズな模型飛行機５６及び模型気球５８の回転作動が阻害されやすいのみならず、場合によっては回転ア−ム５１が支柱５４より外れて落下するなどのおそれがあるものである。
【０００６】
本発明は従来の問題点を解決し、正常状態のみならず、回転推力の変動や風力などの外力を受けた場合においても回転ア−ムを常にバランスよく保持せしめ、吊設する模型飛行機などの広告用吊設物をスム−ズに回転作動せしめることが出来る、シ−ソ−式広告器などの支持構造を提供しようとするものである。
【課題を解決するための手段】
【０００７】
上記の目的を達成するため、本発明の請求項１記載の発明は、所要の長さを備えた回転ア−ムの重心個所に取付け自在とされたピポット軸受と、該ピポット軸受に金属製ボ−ルを介して遊動自在に軸承された支柱とよりなり、上記ピポット軸受内には一点支持的に金属製ボ−ルを磁着せしめて回転ア−ムのバランスを保持せしめるべくマグネットが内設されてなることを特徴とする、シ−ソ−式広告器などの支持構造を要旨とするものである。
【０００８】
また、請求項２記載の発明は、ピポット軸受の下端部には金属製ボ−ルの抜出を防止せしめるべく内周面を球面状に形成せしめた掛止部が一体形成されると共に、該掛止部には支柱を揺動自在に挿通せしめるべくスリットが形成されてなることを特徴とする、請求項１記載のシ−ソ−式広告器などの支持構造を要旨とするものである。
【発明の効果】
【０００９】
請求項１記載の発明は上述のように構成されているから、ピポット軸受内にマグネットを介して金属製ボ−ルを一点支持的に磁着せしめつつ支柱を軸承せしめることが出来るものである。このため、正常状態下のみならず、回転推力の変動や風力などの外力を受けて回転ア−ムの重心が変位した場合においても、マグネットにより磁着せしめつつ金属製ボ−ル上を重心変位せしめて回転ア−ムをバランスよくシ−ソ−状に保持せしめることが出来るものであって、常に両端に吊設する模型飛行機など所要の広告用吊設物を支柱の回りにスム−ズに回転作動せしめることが出来るものである。
【００１０】
請求項２記載の発明は上述のように構成されているから、ピポット軸受に軸承せしめた金属製ボ−ルの抜出を確実に防止せしめることが出来るのみならず、例えば、支柱を吊設せしめる場合には掛止部を金属製ボ−ルの軸受として有効に利用することが出来るものである。
【発明を実施するための最良の形態】
【００１１】
以下に、本発明を実施するための最良の形態を図面に示す一実施例に基づいて説明する
。
図１乃至図５は本発明の一実施例を示すもので、同図中、１は二つ割状に形成された略凸形状のピポット軸受、２は該ピポット軸受１を構成する略半球状の軸受本体、３は該軸受本体２の内面に形成された略半球状のボ−ル受部、４は該ボ−ル受部３に連通すべく軸受本体２の頂部に一体形成された筒状のマグネット挿着部、５は軸受本体２の下端に一体形成された略半球状の掛止部、６は該掛止部５の内面に形成された半球面状のボ−ル受部
、７は該ボ−ル受部６に連通すべく掛止部５の下端より両側にかけて形成されたスリットで、該スリット７は後記する支柱１２を揺動自在に挿通すべく所要の幅に形成されている
。８は掛止部５と軸受本体２との境界部外周面に環状形成された掛止用フランジである。９は上記マグネット挿着部４内に挿着された円柱状のマグネット、１０は軸受本体２の外周に圧入せしめて締結する締輪、１１はマグネット挿着部４に嵌着されたキャップである。１２は上記軸受本体２のボ−ル受部３に金属製ボ−ル１３を介して遊動自在に軸承されたスタンド１４付き支柱で、金属製ボ−ル１３はマグネット９のフラット状下面に常時一点支持的に磁着せしめられている。なお、上記金属製ボ−ル１３は鉄、コバルト、ニッケルなどの金属材料により形成されている。１５は嵌着孔１６付き板状取付け部材１７を介して上記ピポット軸受１にシ−ソ−状に取付け自在とされた両側一対の棒状回転ア−ム、１８は該回転ア−ム１５の両端に吊設された風船状の広告体で、該広告体１８の少くとも一方は所定方向にモ−タなどを介して回転推力を発生するものとされている。  
【００１２】
次に、上述の如く構成された実施例の作動について説明する。
先ず、図２乃至４に示すように、支柱１２を軸承するピポット軸受１の軸受本体２に嵌着孔１６を介して取付け部材１７を嵌着せしめると共に、フランジ８に掛止せしめ、両側回転ア−ム１５の重心をピポット軸受１に位置せしめてシ−ソ−状に取付ける。しかるのち、広告体１８により回転推力を発生せしめつつ、回転ア−ム１５を介して支柱１２の回りを回転作動せしめる。このさい、広告体１８の回転推力が一定であり、また、風圧などの外力を受けることがない正常状態下においては、図３に示すように、支柱１２の金属製ボ−ル１３頂点がマグネット９のフラット状下面中央に一点支持的に磁着し、回転ア−ム１５の重心を支持せしめつつ、バランスよく両側の広告体１８を回転作動せしめる。逆に
、広告体１８の回転推力変動や風圧などの外力を受けて回転ア−ム１５の重心が変位する場合には、図４に実線及び二点鎖線で示すように、マグネット９により金属製ボ−ル１３を磁着せしめつつ左右に金属製ボ−ル１３上を重心変位し、回転ア−ム１５をバランスよくシ−ソ−状に保持せしめることが出来る。また、急激な重心変位を生じた場合においても金属製ボ−ル１３を掛止部５に掛止せしめることが出来るため、回転ア−ム１５の脱落を生起せしめるおそれは全くないものである。
【００１３】
なお、上記実施例は、スタンド１４に立設せしめた支柱１２の先部にピポット軸受１を介して回転ア−ム１５をシ−ソ−状に回転自在に支持せしめるものとされているが、図５に示すように、支柱１２をスリット７に沿って傾斜せしめつつピポット軸受１を介して回転ア−ム１５を回転自在に支持せしめてもよい。また、場合によっては図６に示すように
、支柱１２にフック１９を取付け、回転ア−ム１５を吊設せしめて使用に供してもよい。このさい、支柱１２の金属製ボ−ル１３を掛止部５のボ−ル受部６に回動自在に支持せしめ、ボ−ル受部６を軸受として使用せしめることが出来る。また、二つ割状とされたピポット軸受１は締輪１０でもって一体に締結するものとされているが、これに限定されるものでなく、接着剤でもって接着せしめてもよく、場合によっては一体的に形成せしめてもよいものである。さらに、実施例は広告器への適用例を示したが、これに限定されるものでなく、シ−ソ−状の遊具やこれらに類したものにも適用せしめることが出来るものである。
【図面の簡単な説明】
【００１４】
【図１】本発明の一実施例を示す分解斜視図である。
【図２】実施例の使用状態を示す正面図である。
【図３】実施例のピポット軸受１に支柱１２を一点支持的に軸承せしめた状態を示す一部拡大断面図である。
【図４】実施例のピポット軸受１に支柱１２を回転ア−ム１５の重心変位に応じて軸承せしめた状態を示す一部拡大断面図である。
【図５】実施例の他の使用例を示す一部拡大断面図である。
【図６】実施例の他の使用例を示す一部拡大断面図である。
【図７】従来例を示す正面図である。
【図８】図７のＡ部拡大断面図である。
【符号の説明】
【００１５】
１    ピポット軸受
２    軸受本体
３    ボ−ル受部
５    掛止部
６    ボ−ル受部
７    スリット
９    マグネット
１２  支柱
１３  金属製ボ−ル
１５  回転ア−ム
１８  広告体
【図１】
2006145893.tif 000003
【図２】
2006145893.tif 000004
【図３】
2006145893.tif 000005
【図４】
2006145893.tif 000006
【図５】
2006145893.tif 000007
【図６】
2006145893.tif 000008
【図７】
2006145893.tif 000009
【図８】
2006145893.tif 000010
【手続補正書】
【提出日】平成16年11月24日(2004.11.24)
【手続補正１】
【補正対象書類名】明細書
【補正対象項目名】００１１
【補正方法】変更
【補正の内容】
【００１１】
以下に、本発明を実施するための最良の形態を図面に示す一実施例に基づいて説明する
。
図１乃至図５は本発明の一実施例を示すもので、同図中、１は二つ割状に形成された略凸形状のピポット軸受、２は該ピポット軸受１を構成する略半球状の軸受本体、３は該軸受本体２の内面に形成された略半球状のボ−ル受部、４は該ボ−ル受部３に連通すべく軸受本体２の頂部に一体形成された筒状のマグネット挿着部、５は軸受本体２の下端に一体形成された略半球状の掛止部、６は該掛止部５の内面に形成された半球面状のボ−ル受部
、７は該ボ−ル受部６に連通すべく掛止部５の下端より両側にかけて形成されたスリットで、該スリット７は後記する支柱１２を揺動自在に挿通すべく所要の幅に形成されている
。８は掛止部５と軸受本体２との境界部外周面に環状形成された掛止用フランジである。９は上記マグネット挿着部４内に挿着された円柱状のマグネット、１０は軸受本体２の外周に圧入せしめて締結する締輪、１１はマグネット９及び後記する金属製ボ−ル１３の抜出を防止して安全性を確保せしめるべくマグネット挿着部４に嵌着されたキャップである。１２は上記軸受本体２のボ−ル受部３に金属製ボ−ル１３を介して遊動自在に軸承されたスタンド１４付き支柱で、金属製ボ−ル１３はマグネット９のフラット状下面に常時一点支持的に磁着せしめられている。なお、上記金属製ボ−ル１３は鉄、コバルト、ニッケルなどの金属材料により形成されている。１５は嵌着孔１６付き板状取付け部材１７を介して上記ピポット軸受１にシ−ソ−状に取付け自在とされた両側一対の棒状回転ア−ム、１８は該回転ア−ム１５の両端に吊設された風船状の広告体で、該広告体１８の少くとも一方は所定方向にモ−タなどを介して回転推力を発生するものとされている。